(57)【特許請求の範囲】
【請求項１】
手洗器と、前記手洗器の排水口に設けられて通常は前記排水口を閉じている排水栓と、前記排水栓を移動させて前記排水口を開閉する排水栓移動手段と、前記排水口に接続された貯留タンクと、前記貯留タンク内の水を排出するための排水コックと、前記手洗器内に手洗用水を供給すると共に、前記排水栓移動手段及び前記排水コックと連動する給水手段と、前記排水栓移動手段を開閉するための開閉スイッチとを備え、
通常は前記排水口及び前記排水コックが閉じられて前記貯留タンクが密閉された状態が維持され、
前記手洗器内に前記手洗用水が供給されるとき、又は前記開閉スイッチが押されたときだけ、前記排水口が開かれて、前記手洗器内の水が前記排水口から前記貯留タンク内に排出されることを特徴とする手洗い排水の滅菌処理システム。
【請求項２】
前記排水コックが開かれているときは、前記給水手段が動作しないことを特徴とする請求項１に記載の手洗い排水の滅菌処理システム。
【請求項３】
前記貯留タンク内の水位を検出する水位検出手段と、前記水位検出手段からの信号によって動作する警報手段とを備えたことを特徴とする請求項１に記載の手洗い排水の滅菌処理システム。
【請求項４】
前記貯留タンクには、滅菌フィルタを有する通気口が設けられていることを特徴とする請求項１に記載の手洗い排水の滅菌処理システム。
【発明の詳細な説明】
【０００１】
【発明の属する技術分野】
本発明は、手洗い排水の滅菌処理システムに関する。
【０００２】
【従来の技術】
従来、洗面器内の水を滅菌処理する場合には、複数の手洗器の排水を一カ所に集め、ここに集められた排水を高圧蒸気によって滅菌処理するか、或いは洗面器に高圧蒸気滅菌処理器を組み入れていた。
【０００３】
【発明が解決しようとする課題】
しかしながら、従来の滅菌処理方法では、洗面器の排水口が常時開いているため、手洗いに使用された直後の滅菌処理が十分に行われていない状態の水が、排水口から外部に排出されるおそれがあった。
【０００４】
また、高圧蒸気滅菌処理器は、大容量の電源が必要であり、圧力容器となるので大型で重いうえに、労働安全法による製造許可を必要とするという問題があった。
【０００５】
本発明は、前述した問題点に鑑みてなされたものであり、その目的は、排水を十分に滅菌処理してから外部に排出すると共に、大容量の電源を必要とせず、小型軽量化が可能であり、更に労働安全法などの製造許可が不要な手洗い排水の滅菌処理システムを提供することにある。
【０００６】
【課題を解決するための手段】
前述した目的を達成するために、本発明の手洗い排水の滅菌処理システムは、手洗器と、前記手洗器の排水口に設けられて通常は前記排水口を閉じている排水栓と、前記排水栓を移動させて前記排水口を開閉する排水栓移動手段と、前記排水口に接続された貯留タンクと、前記貯留タンク内の水を排出するための排水コックと、前記手洗器内に手洗用水を供給すると共に、前記排水栓移動手段及び前記排水コックと連動する給水手段と、前記排水栓移動手段を開閉するための開閉スイッチとを備え、通常は前記排水口及び前記排水コックが閉じられて前記貯留タンクが密閉された状態が維持され、前記手洗器内に前記手洗用水が供給されるとき、及び前記開閉スイッチが押されたときだけ、前記排水口が開かれて、前記手洗器内の水が前記排水口から前記貯留タンク内に排出されることを特徴とする（請求項１）。
【０００７】
また、本発明の手洗い排水の滅菌処理システムは、前記排水コックが開かれているときは、前記給水手段が動作しないこと（請求項２）、前記貯留タンク内の水位を検出する水位検出手段と、前記水位検出手段が所定の水位を検知したときに作動する警報手段とを備えたこと（請求項３）、前記貯留タンクには、滅菌フィルタを有する通気口が設けられていること（請求項４）、を特徴とする。
【０００８】
この手洗い排水の滅菌処理システムによれば、洗面器に給水するとき、及び、開閉スイッチが押されたときだけ、洗面器の排水口の排水栓が開けられ、それ以外のときは排水栓によって閉じられているので、貯留タンク内の水が十分な時間に亘って滅菌されると共に、貯留タンク内の細菌類が、洗面器の排水口から漏出するのを防止でき、さらに、高圧蒸気滅菌処理設備を使用しないので、貯留タンクの構成を簡略化してコストダウンが可能になる（請求項１）。
【０００９】
排水コックが開かれているときは、給水手段が動作しないようにすることにより、給水手段から給水されたばかりの滅菌処理が十分に施されてない水が、外部に排出されてしまうのを防止できる（請求項２）。
【００１０】
貯留タンク内の水位を検出する水位検出手段と、水位検出手段が所定の水位を検知したときに作動する警報手段とを備えた場合には、貯留タンク内の水が満水に近づいたとき、ブザーを鳴らすと共にランプを点滅させることによって、貯留タンク内の水があふれ出るのを防止することができる（請求項３）。
【００１１】
また、貯留タンクに、滅菌フィルタを有する通気口が設けられたことにより、貯留タンク内の細菌類が通気口から外部に排出されるのを防止できる（請求項４）。
【００１２】
【発明の実施の形態】
以下、本発明に係る手洗い排水の滅菌処理システムの実施の形態について、図面に基づいて詳細に説明する。
【００１３】
図１は本発明に係る手洗い排水の滅菌処理システムを示す図である。
図１に示すように、本発明の手洗い排水の滅菌処理システム１は、手洗器11と、この手洗器11の排水口12に設けられて通常は閉鎖している排水栓13と、この排水栓13を移動させて排水口12を開閉する排水栓開閉手段14,20,21とを備えている。
【００１４】
また、この手洗い排水の滅菌処理システム１は、洗面器11の排水口12に接続された貯留タンク15と、この貯留タンク15の底部側に設けられた排水コック16と、上述の手洗器11内に手洗用水を供給すると共に、排水栓開閉手段14,20,21及び排水コック16に連結されている給水手段17,32,34と、排水栓開閉手段14,20,21を開閉するための開閉スイッチ18とを備えている。
【００１５】
次に、上述した各構成要素について説明する。
排水栓開閉手段14,20,21は、モータ20と、このモータ20と排水栓13とを連結するリンク21とを有しており、モータ20が回転すると、リンク21を介して排水栓13が上下移動し、洗面器11の排水口12を開閉するようになっている。
【００１６】
貯留タンク15は密閉されており、その天井面22に設けられた入口23が洗面器11の排水口12に接続されている。また、天井面22には通気口24が設けられている。この通気口24の先端には、細菌類を補足する滅菌フィルタ25が取り付けられている。天井面22には、更に水位を検出するための水位検知手段として電極棒26が取り付けられている。
【００１７】
この電極棒26が満水に近づいたことを検知すると、制御部27のブザー28が警報を発すると同時に、ランプ29が点滅するようになっている。なお、上述の開閉スイッチ18は、制御部27に設けられている。貯留タンク15の排水コック12から排出された排水は、箱形排水トラップ30を介して下水などに排出される。
【００１８】
給水手段17、32,34は、洗面器11の上方に配置された泡沫式水栓31と、この泡沫式水栓31の上流側に接続された足踏式開閉弁32と、この足踏式開閉弁32を開閉するための足踏ペダル33と、足踏式開閉弁32の給水又は上流側に直列に接続された給水制御用電磁弁34及び止水弁35とを備えている。
【００１９】
給水制御用電磁弁34は、常時開かれているが、貯留タンク15の排水コック16が開かれているときは、閉まるようになっている。止水弁35は常時開かれている。
上述の制御部27は、開閉スイッチ18、ブザー28及びランプ29以外に、電極棒26、モータ20、排水コック16、足踏ペダル33及び給水制御用電磁弁34などを制御するようになっている。
【００２０】
次に、この手洗い排水の滅菌処理システム１の作用を説明する。洗面器11を使用しない場合には、その排水口12が排水栓13によって閉じられている。この状態で、洗面器11を用いて手を洗うために、使用者が足踏ペダル33を踏むと、足踏式開閉弁32が開かれ、泡沫式水栓31から洗面器11内に給水が行われる。この給水を用いて使用者が手を洗うことができる。
【００２１】
また、足踏式開閉弁32が開かれると同時に、モータ20が稼働し、リンク21を介して排水栓13が上昇し、洗面器11の排水口12が開かれる。これによって、洗面器11内の使用済みの水は、貯留タンク15内に排出されて貯留される。
【００２２】
使用者が手を洗い終わり、足踏ペダル33を踏むのをやめると、足踏式開閉弁32が閉じられて給水が停止されるとともに、一定の時間経過後にモータ20が反転して排水栓13が降下し、洗面器11の排水口12が閉じられる。この一定の時間は適宜設定できる。
【００２３】
また、貯留タンク15内の水を滅菌するために、滅菌用の薬品などを貯留タンク15内に投入する場合には、開閉スイッチ18を、自動あるいは手動で押すことによって、モータ20が駆動されて排水栓13が上昇し、洗面器11の排水口12が開かれる。ここで、洗面器11内に薬品を投入すると、この薬品が貯留タンク15内に投入される。
【００２４】
殺菌後、貯留タンク15の排水コック16を開き、貯留タンク15内に貯留されていた滅菌済みの水が、排水トラップ30に排出される。また、排水コック16が開かれたときには、給水手段17の給水制御用電磁弁34が閉じられて、開かないようになっている。これによって、給水手段17から供給されたばかりで、未だ滅菌されていない洗浄水が貯留タンク15を介して直接外部に排出されてしまうのを防止することができる。
【００２５】
なお、排水コック16が閉じられると、給水手段17の給水制御用電磁弁34が開かれて給水が可能な状態になる。また、開閉スイッチ18による排水栓13の上昇持続時間は適宜設定できる。
【００２６】
貯留タンク15内の水が満水に近づくと、電極棒26がこれを検知し、制御部27に満水検知信号が送られる。そして、ブザー28が鳴動すると共に、ランプ29が点滅する。これによって、管理者などが、排水コック16を開いて貯留タンク15内の水を排水するなど、必要な処置を行うことができる。
【００２７】
このように、本発明の手洗い排水の滅菌処理システム１は、通常は洗面器11の排水口12及び貯留タンク15の排水コック16が閉じられており、給水時又は開閉スイッチ18を押したときだけ排水口12が開かれるので、貯留タンク15内の洗浄水が十分な時間をかけて滅菌されると共に、貯留タンク15内の細菌などが排水口12を介して外部に漏洩するのを防止できる。
【００２８】
また、貯留タンク15に設けられた通気口24には、滅菌フィルタ25が取り付けられているので、貯留タンク15内の細菌などが通気口24を介して外部に漏洩するのを防止することができる。
【００２９】
更に、貯留タンク15内の満水を電極棒26で検出し、ブザー28を鳴らすと同時にランプ29を点滅させるので、貯留タンク15内の未殺菌の洗浄水が外部に排出されたり、あふれ出たりするのを防止することができる。
【００３０】
更に、この手洗い排水の滅菌処理システム１は、従来のような高圧蒸気によって滅菌する必要がないので、貯留タンク15は単に耐薬品性を有する樹脂など軽量部材を使用でき、装置全体を小型軽量化することが可能になると共に、高圧容器のような製造許可が不要になるので、取り扱いが容易でコスト低減が可能になる。
【００３１】
【発明の効果】
以上説明したように、本発明の手洗い排水の滅菌処理システムによれば、洗面器に給水するとき、又は開閉スイッチが押されたときだけ、洗面器の排水口に設けられた排水栓が移動して排水口が開けられ、それ以外のときは排水口が排水栓で閉じられているので、貯留タンク内の水が十分な時間に亘って滅菌され、滅菌されていない水が外部に排出されるの防止できると共に、貯留タンク内の細菌が洗面器の排水口から漏洩するのを防止できる。さらに、高圧蒸気滅菌処理設備を使用しないので、貯留タンクの製造許可を得る必要がなく、また、貯留タンクの構成を簡略化でき、取り扱いを容易にできると共にコストダウンが可能になる（請求項１）。
【００３２】
排水コックが開かれているときは、給水手段が動作しないようにすることにより、給水手段から給水されたばかりで滅菌処理が十分に施されてない水が、そのまま外部に排出されてしまうのを防止できる（請求項２）。
【００３３】
貯留タンク内の水位を検出する水位検出手段と、水位検出手段が所定の水位を検知したときに作動する警報手段とを備えているので、貯留タンク内の水が満水に近づいたときに、警報を出すことによって、貯留タンク内の水があふれ出るのを防止することができる（請求項３）。
【００３４】
また、貯留タンクに、滅菌フィルタを有する通気口が設けられた場合には、貯留タンク内の細菌類が通気口から外部に排出されるのを防止できる（請求項４）。
【図面の簡単な説明】
【図１】本発明に係る手洗い排水の滅菌処理システムを示す図である。
【符号の説明】
１  手洗い排水の滅菌処理システム
11  手洗器
12  排水口
13  排水栓
14  排水栓移動手段
15  貯留タンク
16  排水コック
17  給水手段
18  開閉スイッチ
26  電極棒（水位検出手段）
28  ブザー（警報手段）
29  ランプ（警報手段）
24  通気口
25  滅菌フィルタ
【図１】
0004555514.tif 000002